(57)【要約】【課題】本発明の課題は、簡単な構成で、配線をカバーし、配線の曲げ応力に対して緩やかに曲がることで、急激な曲がりの繰り返しにより断線を防止する断線防止具を提供する。【解決手段】本発明による断線防止具は、ギザギザの構造部を含む配線部を所望の長さで覆うように配線が入る配線取り込み構造を有する所望の長さの配線覆い部と、配線に固定する固定具を有し、配線覆い部は、配線の曲げ応力による急激な曲がりの繰り返しによる断線を防止する。【選択図】図１
2017204424.tif 000002
【特許請求の範囲】
【請求項１】
電源アダプタの筐体又はコンセントプラグ筐体から引き出される配線の引き出しカバーのギザギザの構造部を含む配線部を所望の長さで覆うように、配線が入る配線取り込み構造を有する所望の長さの配線覆い部と、前記配線覆い部に接続し、前記配線を前記配線覆い部に対して動かないよう固定するための固定具とを有することで、
前記配線部を覆った状態から外れないようにし、前記配線の曲げ応力に対して緩やかに曲がることで、急激な曲がりの繰り返しによる断線を防止することを特徴とする断線防止具。
【請求項２】
前記固定具は、前記配線覆い部に接続し、前記配線を載せるものある第一の固定補助片を備えることを特徴とする請求項１記載の断線防止具。
【請求項３】
前記固定具は、前記配線覆い部に接続し、前記電源アダプタの筐体又はコンセントプラグ筐体の面に面接触する接触面を有する配線が入る配線取り込み構造を有する第二の固定補助片を備えることを特徴とする請求項１記載の断線防止具。
【請求項４】
第二の固定補助片は、前記接触面を線で構成したことを特徴とする請求項３記載の断線防止具。
【請求項５】
前記配線覆い部は、前記配線を取り込むための開口溝を有する管形状体であるか、又は、
前記配線を取り込める線輪形状体であることを特徴とする請求項１から請求項４のいずれか１つに記載の断線防止具。
【請求項６】
前記配線の引き又は戻しの応力に応じて柔軟に動く弾性棹と先端の配線を掛ける配線引っかけ部を備えた引っ張り応力緩和の掛け具を備えたことを特徴とする請求項１から請求項５のいずれか１つに記載の断線防止具。
【発明の詳細な説明】
【技術分野】
【０００１】
本発明は、電源アダプタ又は差込みプラグから配線が引き出される部分において線材の断線が起こることを回避する断線防止具に関するものである。
【背景技術】
【０００２】
図7は、電源アダプタ又は差込みプラグを示す図である。７−Ａでは、電源アダプタの周辺、７−Ｂでは、差込みプラグを示す。配線が使用中に動くとともに、何度も曲がりと逆方向の曲がりを繰り返しているうちに○で囲まれた部分に断線が起こっている。これがかなり頻繁におこり、特に電源アダプタ又は差込みプラグの部分は解体不能に構成されているため、例えば電源アダプタが正常でも新しいものを購入しなければならない誰しもが困っている課題である。これは、○で囲まれた部分が、スパイラルケーブルグランド、フレキケーブルグランドと呼ばれる配線引き出しカバーのギザギザの構造部で、これが無いと、いきなり配線が曲がることで断線しやすくなるのを防止するためにギザギザの構造を入れているが、ギザギザの構造の括れの部分が集中して曲がるために、ギザギザの構造が無いよりは改善されるが、それでもまだ満足ではない状況にある。ギザギザの構造は、電源アダプタ又は差込みプラグの直近にあるので、修理しにくいこともあり、断線しにくい防止策が必要であった。特許文献１では、差込みプラグの中で、配線をねじり交差させて取り付けているが、ギザギザの構造の括れの部分での断線対策にはなっていない。
特許文献２では、図６に示すものであるが、スポンジを使い、配線をスポンジの切り口に一旦通して引き出せる断線防止スポンジを提案している。いい提案だと思う。この欠点を上げるならば、スポンジが破れやすく、はがれやすいこと、接着剤で取り付ける対象がスポンジ面に合うように大きさと接着面をもっていなければならないことである。又、剥がれた跡が接着剤で汚くなることがある。
【先行技術文献】
【特許文献】
【０００３】
【特許文献１】特開２０００−１２１４２
【特許文献２】特開２００８−９８１２１
【発明の概要】
【発明が解決しようとする課題】
【０００４】
本発明の課題は、簡単な構成でありながら、電源アダプタ又は差込みプラグからの配線引出部であるギザギザの構造部とそれに続く配線の一部を緩慢に曲がるようにして、断線しにくい断線防止具を提供することである。
【課題を解決するための手段】
【０００５】
本発明にかかる断線防止具は、配線引き出しカバーのギザギザの構造部を含む配線部を所望の長さで覆うように配線が入る配線取り込み構造を有する所望の長さの配線覆い部と、配線に固定する固定具を有し、配線覆い部は、配線の曲げ応力による急激な曲がりの繰り返しによる断線を防止するものである。
以下、請求項に沿って記述する。
【０００６】
請求項１記載の発明は、断線防止具であって、
電源アダプタの筐体又はコンセントプラグ筐体から引き出される配線の引き出しカバーののギザギザの構造部を含む配線部を所望の長さで覆うように、配線が入る配線取り込み構造を有する所望の長さの配線覆い部と、前記配線覆い部に接続し、前記配線を前記配線覆い部に対して動かないよう固定するための固定具とを有することで、
前記配線部を覆った状態から外れないようにし、前記配線の曲げ応力に対して緩やかに曲がることで、急激な曲がりの繰り返しによる断線を防止することを特徴とする。
【０００７】
請求項２記載の発明は、請求項１記載の断線防止具において、
前記固定具は、前記配線覆い部に接続し、前記配線を載せるものある第一の固定補助片を備えることを特徴とする。
【０００８】
請求項３記載の発明は、請求項１記載の断線防止具において、
前記固定具は、前記配線覆い部に接続し、前記電源アダプタの筐体又はコンセントプラグ筐体の面に面接触する接触面を有する配線が入る配線取り込み構造を有する第二の固定補助片又は鍔を備えることを特徴とする。
【０００９】
請求項４記載の発明は、請求項３記載の断線防止具において、
第二の固定補助片は、前記接触面を線で構成したことを特徴とする。
【００１０】
請求項５記載の発明は、請求項１から請求項４のいずれか１つに記載の断線防止具において、前記配線覆い部は、前記配線を取り込むための開口溝を有する管形状体であるか、又は、前記配線を取り込める線輪形状体であることを特徴とする。
【００１１】
請求項６記載の発明は、請求項１から請求項５のいずれか１つに記載の断線防止具において、前記配線の引き又は戻しの応力に応じて柔軟に動く弾性棹と先端の配線を掛ける配線引っかけ部を備えた引っ張り応力緩和の掛け具を備えたことを特徴とする。
【発明の効果】
【００１２】
以上の様に構成されているので、本発明によれば、ギザギザの構造部に被せて、電源アダプタの筐体、コンセントプラグ筐体、配線に固定でき、ギザギザの構造部付近の曲がりを緩やかにするので、断線を防止することができる。
【図面の簡単な説明】
【００１３】
【図１】本発明にかかる断線防止具の一実施態様を示す図である。
【図２】本発明にかかる断線防止具の別の一実施態様を示す図である。
【図３】本発明にかかる断線防止具をコンセントプラグ及び電源アダプタに取り付けた状態の一実施態様を示す図である。
【図４】本発明にかかる断線防止具に引っ張り応力緩和の掛け具を備えた一実施態様を示す図である。
【図５】本発明にかかる断線防止具に引っ張り応力緩和の掛け具のあるもののコンセントプラグに取り付けた状態の一実施態様を示す図である。
【図６】従来の断線防止具を示す図である。
【図７】電源アダプタ、コンセントプラグでの断線箇所を示す図である。
【発明を実施するための形態】
【００１４】
本発明にかかる断線防止具では、ギザギザの構造部を含む配線部を所望の長さで覆うように配線が入る配線取り込み構造を有する所望の長さの配線覆い部である管形状体又は線輪形状体とこれに備えた固定具を有し、固定具は、電源アダプタの筐体、コンセントプラグ筐体、配線に固定することで、配線部を覆った状態から外れないようにし、管形状体又は線輪形状体は、配線の曲げ応力に対して緩やかに曲がることで、急激な曲がりの繰り返しによる断線を防止するものである。
以下図に沿って説明する。
【００１５】
図１は、本発明にかかる断線防止具の一実施態様を示す図である。１−Ａには、配線覆い部１１０が管形状体の場合であり、管形状体１１０Ａは、配線取り込み構造１２０として、開口溝１２０Ａを有している。ここから配線を管形状体１１０Ａに取り込むことができる。この例では、管形状体１１０Ａの一端にこれと接続した固定具１３０としての第一の固定補助片１３０Ａを有している。
第一の固定補助片１３０Ａに載った配線ごと押さえる、簡単には固定テープで巻き固定するなどをすれば簡単に押さえることができる。
１−Ｂでは、１−Ａとの違いは、管形状体１１０Ａが蛇腹形状体になっていることである。
断面を右側に示す。
１−Ｃでは、配線覆い部１１０が線輪形状体１１０Ｂの場合である。線輪形状体は、配線取り込み構造１２０として、線輪を配線に巻くように動かせば、容易に配線を取り込むことができる螺旋形状の構造となっている。そして、固定具１３０として、線輪の線そのものでもよいが、固定テープでの巻きつけ固定が確実なように第一の固定補助片１３０Ａが付いている方が好都合である。
１−Ｄでは、１−Ａとの違いは、固定具１３０のある端とは反対側の端側で管形状体１１０Ａが広がった形状をしているものである。これは、配線に対してギザギザの構造部が広がった形状をしていることに対応している。
１−Ｅには、１−Ａとの違いは、鍔１４０を備えていることである。これは、図３の３−Ｂのようにして使われるが、鍔１４０がアダプタなどの容器の面に接触して、管形状体１１０Ａが接触部付近で曲がることを防止している。鍔１４０は、１−Ａのものに限定されず他の物にも付けることができる。
１−Ｆには、１−Ｅとの違いは、鍔１４０が面を有する板状ではなく、線で構成されていることである。線の構成する面で、アダプタなどの容器の面に接触することになる。
【００１６】
図２は本発明にかかる断線防止具の別の一実施態様を示す図である。
図１は配線に固定具１３０を固定しやすい形状であったが、図２はコンセントプラグや電源アダプタの筐体に断線防止具を固定しやすいものとなっている。
２−Ａでは、そのため、他の例でも同じであるが、開口溝を持つ管形状体の例で示すと、管形状体１１０Ａの一端にコンセントプラグや電源アダプタの面に面接触して、粘着や押し付けを行う固定具１３０としての第二の固定補助片１３０Ｂを備えている。
２−Ｂでは、固定具１３０としての第二の固定補助片１３０Ｂが、アクセサリとして見た目に楽しめる象の顔にしたもので、管形状体１１０Ａが鼻に対応している例である。機能的には２−Ａと同じである。尚、第二の固定補助片１３０Ｂは、配線が入る配線取り込み構造を有している。
図２は、配線覆い部１１０が管形状体の場合を示したが、線輪形状体にも適用は可能である。図２の第二の固定補助片１３０Ｂは、図１の１−Ｅの鍔１４０の役割も果たしている。
【００１７】
図３は、本発明にかかる断線防止具をコンセントプラグ及び電源アダプタに取り付けた状態の一実施態様を示す図である。どれを付けてもいいが、３−Ａでは、１−Ａのものを付けた図となっている。第一の固定補助片１３０Ａに載った配線ごと固定テープ１５０等で巻きつければ、粘着により固定ができる。尚、３−Ｂには、１−Ｅの物を電源アダプタに取り付けた例である。固定は３−Ａの場合と同様である。
【００１８】
図４は、本発明にかかる断線防止具に引っ張り応力緩和の掛け具を備えた一実施態様を示す図である。
どの例でもいいが、４−Ａから４−Ｃまでは、図１の１−Ｄの例に適用する。引っ張り応力緩和の掛け具は、板バネのように配線の引き戻しに対して柔軟に動き戻る弾性棹４１０とその先に配線を掛ける配線引っかけ部４２０を有している。他端は、断線防止具の配線覆い部等に固定されている。
弾性棹は、図のような板バネでもよいが、コイルバネでもよい。
４−Ａでは、配線覆い部等に固定が第一の固定補助片１３０Ａとは反対側に固定され、配線引っかけ部４２０が第一の固定補助片１３０Ａに近く位置している。
４−Ｂでは、配線覆い部等に固定が第一の固定補助片１３０Ａとは同じ側に固定され、配線引っかけ部４２０が第一の固定補助片１３０Ａに離れて位置している。
４−Ｃでは、弾性棹４１０の一端が配線覆い部等に固定され、配線引っかけ部４２０が第一の固定補助片１３０Ａより外側にある構成である。
弾性棹４１０の形状により矢印で示す方向に曲がることができる。
４−Ｄでは、１−Ｃの線輪形状体の場合に、固定具１３０の先に引っ張り応力緩和の掛け具を備えたものである。
配線引っかけ部４２０に掛けられた配線は引き戻しの応力に対して弾性棹４１０が曲がり、応力を緩和するので、断線が防止できる。
【００１９】
図５は、本発明にかかる断線防止具に引っ張り応力緩和の掛け具のあるもののコンセントプラグに取り付けた状態の一実施態様を示す図である。４−Ｂのものを適用した例であるが、これにこだわらない。
配線５１０は、固定具１３０の第一の固定補助片１３０Ａのところで固定テープ等で固定され、配線引っかけ部４２０に掛けられている。配線の引きに対して、弾性棹４１０が柔軟に曲がり応力を緩和するので、配線の応力はコンセントプラグ等の接続部に係らないので、配線抜けや断線を防止できる。
【産業上の利用可能性】
【００２０】
以上のように本発明にかかる断線防止具は、簡単な構成で、配線をカバーし、配線の曲げ応力に対して緩やかに曲がることで、急激な曲がりの繰り返しにより断線を防止するので、
産業上利用して極めて好都合である。
【符号の説明】
【００２１】
１１０  配線覆い部
１１０Ａ  管形状体
１１０Ｂ  線輪形状体
１２０  配線取り込み構造
１２０Ａ  開口溝
１３０  固定具
１３０Ａ  第一の固定補助片
１３０Ｂ  第二の固定補助片
１４０  鍔
１５０  固定テープ
４１０  弾性棹
４２０  配線引っかけ部
５１０  配線
【図１】
2017204424.tif 000003
【図２】
2017204424.tif 000004
【図３】
2017204424.tif 000005
【図４】
2017204424.tif 000006
【図５】
2017204424.tif 000007
【図６】
2017204424.tif 000008
【図７】
2017204424.tif 000009